(57)【要約】【課題】本発明は、ゴルフクラブ等の器具のスウィングを行う人の二つの反対側の筋肉群のうちの弱い方の筋肉群を訓練するための筋肉トレーニング機及び方法に関する。【解決手段】二つの反対側の筋肉群の強さが適当である場合には、これらの二つの筋肉群は、望ましくは、器具を理想的クラブシャフト平面に維持するのを補助するため、器具に力を逆方向に加える。本発明の考えられる筋肉トレーニング機は、グリップ表面が配置された本体、及び人がスウィングする器具に通常は弱い方の筋肉が加える力方向から遠ざかる方向に本体の規定位置を押圧する、グリップ表面から間隔が隔てられた本体上の規定位置に位置決めされた力発生器を含む。本発明は、更に、ゴルフクラブを理想的クラブシャフト平面内でスウィングしようとする場合にゴルファーが代表的に使用する、二つの反対側の筋肉のうちの少なくとも一つの支配的筋肉を訓練する方法を考えている。この場合、被支配的筋肉は第１スウィング力をゴルフクラブに被支配的スウィング力方向で加え、支配的筋肉は被支配的スウィング力以上の第２スウィング力をゴルフクラブに被支配的スウィング力とは逆方向の支配的スウィング力方向で加える。【選択図】図１
2007508051.tif 000002
【特許請求の範囲】
【請求項１】
筋肉トレーニング機であって、このトレーニング機のスウィングを行う人の二つの筋肉のうちの弱い方の筋肉の訓練を行うための筋肉トレーニング機であり、前記二つの筋肉の強さが適当である場合、これらの二つの筋肉は、望ましくは、人がスウィングする器具に力を実質的に逆方向に加え、前記器具を所望のスウィング経路に常に維持するのを補助する、筋肉トレーニング機において、
グリップ表面が上側に配置された本体、及び
前記グリップ表面から間隔が隔てられた前記本体の規定位置に位置決めされた力発生器であって、前記本体の前記規定位置を、人が前記器具のスウィングを行うときに通常は弱い方の筋肉が前記器具に加える力方向から遠ざかる方向に押圧するための力発生器を含む、筋肉トレーニング機。
【請求項２】
筋肉トレーニング機であって、このトレーニング機のスウィングを行う人の二つの筋肉のうちの弱い方の筋肉の訓練を行うための筋肉トレーニング機であり、前記二つの筋肉の強さが適当である場合、これらの二つの筋肉は、望ましくは、人がスウィングする器具に力を実質的に逆方向に加え、前記器具を所望のスウィング経路に常に維持するのを補助する、筋肉トレーニング機において、
基端及びこの基端から間隔が隔てられた先端を持つ本体、
前記本体上に前記本体の前記先端よりも前記基端の近くに形成されたグリップ部分、及び
前記本体上に前記本体の前記基端よりも前記先端の近くに配置された力発生器を含み、この力発生器は、前記本体の前記先端を人が前記器具のスウィングを行うときに通常は弱い方の筋肉が前記器具に加える力方向から遠ざかる方向に押圧するように位置決めされている、筋肉トレーニング機。
【請求項３】
筋肉トレーニング機であって、このトレーニング機のスウィングを行う人の二つの筋肉のうちの弱い方の筋肉の訓練を行うための筋肉トレーニング機であり、前記二つの筋肉の強さが適当である場合、これらの二つの筋肉は、望ましくは、人がスウィングするゴルフクラブに力を実質的に逆方向に加え、前記ゴルフクラブを所望のスウィング経路に常に維持するのを補助する、筋肉トレーニング機において、
グリップ表面が上側に配置された本体、及び
前記グリップ表面から間隔が隔てられた前記本体の規定位置に位置決めされた力発生器であって、前記本体の前記規定位置を、人が前記筋肉トレーニング機のスウィングを行うときに通常は弱い方の筋肉が前記筋肉トレーニング機に加える力方向から遠ざかる方向に押圧するための力発生器を含む、筋肉トレーニング機。
【請求項４】
筋肉トレーニング機であって、このトレーニング機のスウィングを行う人の二つのスウィング筋肉のうちの弱い方の筋肉の訓練を行うための筋肉トレーニング機であり、前記二つのスウィング筋肉の強さが適当である場合、これらの二つのスウィング筋肉は、望ましくは、人がスウィングする筋肉トレーニング機に力を実質的に逆方向に加え、前記筋肉トレーニング機を所望のスウィング経路に常に維持するのを補助する、筋肉トレーニング機において、
基端及びこの基端から間隔が隔てられた先端を持つ本体、
前記本体上に前記本体の前記先端よりも前記基端の近くに形成されたグリップ部分、及び
前記本体上に前記本体の前記基端よりも前記先端の近くに配置された力発生器を含み、この力発生器は、前記本体の前記先端を人が前記筋肉トレーニング機のスウィングを行うときに通常は弱い方の筋肉が前記器具に加える力方向から遠ざかる方向に押圧するように位置決めされている、筋肉トレーニング機。
【請求項５】
請求項４に記載の筋肉トレーニング機において、前記本体は、シャフト、及び前記シャフトのグリップ表面を含むグリップ部分を含む、筋肉トレーニング機。
【請求項６】
請求項５に記載の筋肉トレーニング機において、前記力発生器は前記シャフトに関して所定の角度で力を発生する、筋肉トレーニング機。
【請求項７】
請求項６に記載の筋肉トレーニング機において、前記力発生器は前記シャフトに対して実質的に垂直な力を発生する、筋肉トレーニング機。
【請求項８】
請求項４に記載の筋肉トレーニング機において、前記力発生器は、
前記本体に配置されたモータ、及び
前記モータの作動時に、前記本体の前記先端を、人が前記筋肉トレーニング機のスウィングを行うときに通常は弱い方の筋肉が前記筋肉トレーニング機に加える前記力方向から遠ざかる方向に押圧するように作動する位置で前記モータに取り付けられたプロペラを含む、筋肉トレーニング機。
【請求項９】
請求項８に記載の筋肉トレーニング機において、前記プロペラを二つの回転方向のうちのいずれかの方向に回転するため、前記モータの前記作動を制御するための制御装置を更に含む、筋肉トレーニング機。
【請求項１０】
請求項８に記載の筋肉トレーニング機において、
基端と先端との間を少なくとも部分的に延びる通路を持つ本体、及び
一部が前記本体の前記通路内に配置され、第１コード部分及び第２コード部分が前記通路の外側に配置された電力コードを含み、
前記第１コード部分は前記モータに接続されており、前記第２コード部分は電源に接続できる、筋肉トレーニング機。
【請求項１１】
請求項１０に記載の筋肉トレーニング機において、前記電源を前記モータに選択的に作動的に接続するのを容易にするため、前記モータ及び前記電源に電気的に接続された電気スイッチを更に含む、筋肉トレーニング機。
【請求項１２】
請求項１１に記載の筋肉トレーニング機において、前記電気スイッチは、前記モータの第１回転方向又は第２回転方向のいずれかの方向での選択的作動を容易にする電気的構造を備えている、筋肉トレーニング機。
【請求項１３】
請求項１０に記載の筋肉トレーニング機において、前記モータの作動速度を選択的に変化するため、前記モータに接続された制御装置を更に含む、筋肉トレーニング機。
【請求項１４】
請求項８に記載の筋肉トレーニング機において、前記プロペラを実質的に包囲するシュラウドを更に含む、筋肉トレーニング機。
【請求項１５】
請求項４に記載の筋肉トレーニング機において、前記力発生器は、加圧媒体を発生してこの加圧媒体を規定方向に放出し、前記規定方向とは逆方向に力を発生するための装置を含む、筋肉トレーニング機。
【請求項１６】
請求項４に記載の筋肉トレーニング機において、前記本体は第１区分及び第２区分、及びこれらの第１及び第２の区分を第１及び第２の区分の接合部のところで互いに連結するためのカップラーを含み、前記第２区分は前記接合部のところで前記第１区分から延びている、筋肉トレーニング機。
【請求項１７】
請求項１６に記載の筋肉トレーニング機において、前記第１区分は、第１及び第２の区分を互いに対して様々な角度位置で選択的に配置できるように、前記カップラーによって前記第２区分に調節自在に連結されている、筋肉トレーニング機。
【請求項１８】
請求項４に記載の筋肉トレーニング機において、前記筋肉トレーニング機のスウィングを行う人の二つの回転筋肉のうちの弱い方の筋肉を更に訓練するための筋肉トレーニング機であり、二つの回転筋肉が適切な強さである場合、二つの回転筋肉は、望ましくは、人がスウィングするゴルフクラブに力を逆方向に加え、ゴルフクラブの所望の回転を常に維持するのを補助し、前記本体は、第１区分及び第２区分を含み、この第２区分は前記第１及び第２のクラブの接合部のところで前記第１区分から延びている、筋肉トレーニング機。
【請求項１９】
請求項１８に記載の筋肉トレーニング機において、前記第１及び第２の区分をこれらの第１及び第２の区分の接合部のところで互いに連結するためのカップラーを更に含む、筋肉トレーニング機。
【請求項２０】
請求項１８に記載の筋肉トレーニング機において、前記第２区分は、前記第１区分から角度をなして延びる、筋肉トレーニング機。
【請求項２１】
請求項１８に記載の筋肉トレーニング機において、前記第２区分は前記第１区分から垂直に延びる、筋肉トレーニング機。
【請求項２２】
請求項１８に記載の筋肉トレーニング機において、前記グリップ部分は前記第１区分に配置されている、筋肉トレーニング機。
【請求項２３】
請求項１８に記載の筋肉トレーニング機において、前記力発生器は前記第２区分に配置されている、筋肉トレーニング機。
【請求項２４】
請求項１９に記載の筋肉トレーニング機において、前記第１区分は、前記第１及び第２の区分を互いに対して様々な角度位置に選択的に配置できるように、前記カップラーによって前記第２区分に調節自在に連結されている、筋肉トレーニング機。
【請求項２５】
請求項２３に記載の筋肉トレーニング機において、前記力発生器は前記第２区分に対して実質的に垂直方向に力を発生する、筋肉トレーニング機。
【請求項２６】
請求項２３に記載の筋肉トレーニング機において、前記力発生器は前記本体の前記第１区分に対して垂直であり且つ前記第１区分から間隔が隔てられている、筋肉トレーニング機。
【請求項２７】
筋肉トレーニング機であって、この筋肉トレーニング機のスウィングを行う人の二つの回転筋肉のうちの弱い方の筋肉の訓練を行うための筋肉トレーニング機であり、前記二つの回転筋肉の強さが適当である場合、これらの二つの回転筋肉は、望ましくは、人がスウィングする筋肉トレーニング機に回転力を実質的に逆方向に加え、前記筋肉トレーニング機の回転中、前記筋肉トレーニング機の所望の回転を常に維持するのを補助する、筋肉トレーニング機において、
第１区分及び第２区分を有し、この第２区分は、第１及び第２の区分の接合部のところで第１区分から延びている、本体、及び
前記第２区分に配置されており、前記本体の前記第２区分を、人がスウィングするときに弱い方の筋肉が筋肉トレーニング機に常に加える回転力方向から遠ざかる回転方向に押圧するように位置決めされた力発生器を含む、筋肉トレーニング機。
【請求項２８】
請求項２７に記載の筋肉トレーニング機において、前記第１及び第２の区分をこれらの第１及び第２の区分の接合部のところで連結するためのカップラーを更に含む、筋肉トレーニング機。
【請求項２９】
請求項２７に記載の筋肉トレーニング機において、前記第２区分は、前記第１区分から角度をなして延びている、筋肉トレーニング機。
【請求項３０】
請求項２７に記載の筋肉トレーニング機において、前記第２区分は前記第１区分から垂直に延びている、筋肉トレーニング機。
【請求項３１】
請求項２７に記載の筋肉トレーニング機において、グリップ表面が前記第１区分に配置されている、筋肉トレーニング機。
【請求項３２】
請求項２７に記載の筋肉トレーニング機において、前記力発生器は前記第２区分に配置されている、筋肉トレーニング機。
【請求項３３】
請求項２８に記載の筋肉トレーニング機において、前記第１区分は、前記第１及び第２の区分を互いに対して様々な角度位置に選択的に配置できるように、前記カップラーによって前記第２区分に連結されている、筋肉トレーニング機。
【請求項３４】
請求項３２に記載の筋肉トレーニング機において、前記力発生器は前記第２区分に対して実質的に垂直な力を発生する、筋肉トレーニング機。
【請求項３５】
請求項３２に記載の筋肉トレーニング機において、前記力発生器は、前記本体の前記第１区分に対して垂直であり且つ前記第１区分から間隔が隔てられている、筋肉トレーニング機。
【請求項３６】
筋肉トレーニング機であって、人がこの筋肉トレーニング機を所望のスウィング経路でスウィングしようとするときに代表的に使用される二つの反対側のスウィング筋肉のうちの少なくとも被支配的スウィング筋肉を訓練するための筋肉トレーニング機であり、前記二つの反対側のスウィング筋肉のうちの支配的スウィング筋肉は、前記筋肉トレーニング機に、支配的スウィング力方向で、被支配的スウィング筋肉によって加えられたスウィング力以上のスウィング力を加える筋肉トレーニング機において、
人がスウィングできるシミュレーター、及び
前記シミュレーターの規定の位置に配置されており、支配的スウィング力方向とほぼ同じ方向に力を発生する力発生器を含む、筋肉トレーニング機。
【請求項３７】
請求項３６に記載の筋肉トレーニング機において、前記シミュレーターはゴルフクラブシミュレーターである、筋肉トレーニング機。
【請求項３８】
請求項３６に記載の筋肉トレーニング機において、前記被支配的スウィング筋肉は、右尺側手根屈筋、右側の深在性及び表在性の屈筋、左側の長橈側手根及び短橈側手根、及び左側の尺側手根延筋を含む群から選択された筋肉である、筋肉トレーニング機。
【請求項３９】
請求項３６に記載の筋肉トレーニング機において、前記被支配的スウィング筋肉は、左尺側手根屈筋、左側の深在性及び表在性の屈筋、右側の長橈側手根及び短橈側手根、及び右側の尺側手根延筋を含む群から選択された筋肉である、筋肉トレーニング機。
【請求項４０】
請求項３６に記載の筋肉トレーニング機において、前記筋肉トレーニング機のスウィングを行うときに前記筋肉トレーニング機を所望の回転距離に亘って回転しようとする場合に人が代表的に使用する二つの反対側の回転筋肉のうちの少なくとも被支配的回転筋肉を更に訓練し、二つの反対側の回転筋肉のうちの支配的回転筋肉は、前記筋肉トレーニング機に支配的回転力方向で回転力を加え、この回転力は前記被支配的回転筋肉によって加えられる回転力よりも大きく、第１区分及び第２区分を持つ本体を更に含み、この第２区分は、前記第１及び第２の区分の接合部のところで前記第１区分から延びている、筋肉トレーニング機。
【請求項４１】
筋肉トレーニング機であって、この筋肉トレーニング機のスウィングを行うときに前記筋肉トレーニング機を所望の回転距離に亘って回転しようとする場合に人が代表的に使用する二つの反対側の回転筋肉のうちの少なくとも被支配的回転筋肉を更に訓練し、二つの反対側の回転筋肉のうちの支配的回転筋肉は、前記筋肉トレーニング機に支配的回転力方向で回転力を加え、この回転力は前記被支配的回転筋肉によって加えられる回転力よりも大きい、筋肉トレーニング機において、
人がスウィングでき且つ回転できるシミュレーターを含み、
前記シミュレーターは第１区分及び第２区分を有し、この第２区分は前記第１区分から間隔が隔てられたセグメントを有し、更に
前記シミュレーターの前記第２区分の前記セグメント上の規定位置決めに配置された、支配的回転力方向と実質的に同じ方向に力を発生するように配向された力発生器を含む、筋肉トレーニング機。
【請求項４２】
請求項４１に記載の筋肉トレーニング機において、前記シミュレーターはゴルフクラブシミュレーターである、筋肉トレーニング機。
【請求項４３】
筋肉トレーニング機であって、この筋肉トレーニング機のスウィングを行うときに前記筋肉トレーニング機を所望の回転距離に亘って回転しようとする場合に人が代表的に使用する二つの反対側の回転筋肉のうちの少なくとも被支配的回転筋肉を更に訓練し、二つの反対側の回転筋肉のうちの支配的回転筋肉は、前記筋肉トレーニング機に支配的回転力方向で回転力を加え、この回転力は前記被支配的回転筋肉によって加えられる回転力よりも大きい、筋肉トレーニング機において、
第１区分及び第２区分を有し、前記第２区分は、前記第１区分から間隔が隔てられたセグメントを有する、人が回転できるゴルフクラブシミュレーター、及び
前記支配的回転力方向とほぼ同じ方向に力を発生するように配向された、前記ゴルフクラブシミュレーターの前記第２区分の前記セグメントの規定位置決めに配置された力発生器を含む、筋肉トレーニング機。
【請求項４４】
請求項４３に記載の筋肉トレーニング機において、前記被支配的回転筋肉は、右回外筋、右腕橈骨筋、左円回内筋、及び左方形回内筋を含む群から選択された筋肉である、筋肉トレーニング機。
【請求項４５】
請求項４３に記載の筋肉トレーニング機において、前記被支配的回転筋肉は、左回外筋、左腕橈骨筋、右円回内筋、及び右方形回内筋を含む群から選択された筋肉である、筋肉トレーニング機。
【請求項４６】
筋肉トレーニング機であって、ゴルフクラブのスウィングを理想的クラブシャフト平面で行おうとする場合にゴルファーが代表的に使用する二つの反対側のスウィング筋肉のうちの少なくとも一つの被支配的スウィング筋肉の訓練を行う方法であって、前記被支配的スウィング筋肉はゴルフクラブに被支配的スウィング力を被支配的スウィング力方向で加え、前記二つの反対側のスウィング筋肉のうちの支配的スウィング筋肉はゴルフクラブに前記被支配的スウィング力以上の支配的スウィング力を前記被支配的スウィング力方向とは逆方向の支配的スウィング力方向で加える、方法において、
ゴルフクラブをスウィングする場合にゴルファーが通常スウィングするスウィング経路でゴルファーがゴルフクラブシミュレーターをスウィングする工程、
前記ゴルフクラブシミュレーターの前記スウィング経路が、前記被支配的スウィング筋肉により支配的スウィング筋肉が前記シミュレーターを支配的スウィング力で前記所望のスウィング経路から遠ざかる方向に引っ張るため、所望のスウィング経路の外側であるかどうかを確認する工程、
ゴルファーによって加えられた任意の力とは別個に前記ゴルフクラブシミュレーターに外力を加え、前記シミュレーターを前記支配的スウィング力方向に更に押圧する工程、及び
前記被支配的スウィング筋肉を使用して前記ゴルフクラブシミュレーターを被支配的スウィング力方向での前記外力に抗して所望のスウィング経路に向かって引っ張り、これによって被支配的スウィング筋肉を訓練する工程を含む、方法。
【請求項４７】
請求項４６に記載の方法において、前記ゴルファーは、ゴルフクラブをスウィング経路でスウィングするとき、ゴルフクラブを所望の回転距離に亘って回転しようとする場合に人が代表的に使用する二つの反対側の回転筋肉のうちの少なくとも一つの被支配的回転筋肉を更に訓練し、この場合、被支配的回転筋肉は、被支配的回転力をゴルフクラブに被支配的力方向で加え、前記二つの反対側の回転筋肉のうちの支配的回転筋肉は前記被支配的回転力よりも大きい支配的回転力をゴルフクラブに前記被支配的力方向とは逆方向の支配的力方向で加え、これによりゴルフクラブを回転し、前記方法は、
前記ゴルフクラブシミュレーターをそのスウィング時に回転する工程、
被支配的回転筋肉により支配的回転筋肉が前記シミュレーターを支配的回転力方向に前記所望の回転距離よりも更に大きく回転できるため、前記ゴルフクラブシミュレーターの回転距離が所望の回転距離よりも大きいかどうかを確認する工程、
前記ゴルファークラブシミュレーターにゴルファーとは別個に外力を加え、前記シミュレーターを前記支配的回転力方向に更に押圧する工程、及び
前記被支配的回転筋肉を使用し、前記ゴルフクラブシミュレーターを被支配的回転力方向に回転し、これによって弱い方の筋肉を訓練する工程を更に含む、方法。
【請求項４８】
ゴルフクラブを所望の回転方向に亘って回転しようとする場合にゴルファーが代表的に使用する二つの反対側の回転筋肉のうちの少なくとも一つの被支配的回転筋肉を訓練する方法であって、前記被支配的回転筋肉は被支配的回転力を前記ゴルフクラブに被支配的力方向で加え、前記二つの反対側の回転筋肉のうちの支配的回転筋肉は前記被支配的回転力よりも大きい支配的回転力を前記ゴルフクラブに前記被支配的力方向とは逆の支配的力方向で加え、前記ゴルフクラブを回転する、方法において、
ゴルフクラブシミュレーターを回転する工程、
被支配的回転筋肉により支配的回転筋肉が前記シミュレーターを支配的回転力方向に前記所望の回転距離よりも更に大きく回転できるため、前記ゴルフクラブシミュレーターの回転距離が所望の回転距離よりも大きいかどうかを確認する工程、
前記ゴルファークラブシミュレーターにゴルファーとは別個に外力を加え、前記シミュレーターを前記支配的回転力方向に更に押圧する工程、及び
前記被支配的回転筋肉を使用し、前記ゴルフクラブシミュレーターを被支配的回転力方向に回転し、これによって弱い方の筋肉を訓練する工程を更に含む、方法。
【請求項４９】
規定の仕事を行うために代表的には協働する人間の二つの解剖学的筋肉を訓練する方法において、
前記二つの筋肉のうちの一方の筋肉を規定レベルで訓練する工程、及び
前記一つの筋肉の前記訓練と同時に前記二つの筋肉のうちの他方の筋肉を前記規定レベル以上のレベルで訓練する工程を含む、方法。
【請求項５０】
請求項４９に記載の訓練方法において、
前記二つの筋肉のうちのいずれが強い方の筋肉であるかを決定する工程、
前記二つの筋肉のうちのいずれが弱い方の筋肉であるかを決定する工程、
前記強い方の筋肉を前記規定レベルで訓練する工程、及び
前記弱い方の筋肉を前記規定レベル以上のレベルで訓練する工程を含む、訓練方法。
【請求項５１】
請求項４９に記載の訓練方法において、二つの筋肉のうちの一つの筋肉は第１筋肉群であり、二つの筋肉のうちの別の筋肉は第２筋肉群である、訓練方法。
【請求項５２】
規定の仕事を行うために二つの筋肉群が代表的には協働する人間の二つの解剖学的筋肉群を訓練する方法において、
前記二群の筋肉のうちの一方を規定レベルで訓練する工程、及び
前記二群の筋肉のうちの他方の筋肉の訓練と同時に  前記二群の筋肉のうちの他方の筋肉の訓練を前記規定レベル以上のレベルで訓練する工程を含む、方法。
【請求項５３】
請求項５２に記載の訓練方法において、前記二群の筋肉を訓練する前に、
前記二群の筋肉のうちのいずれが強い方の筋肉群であるかを決定する工程、
前記二群の筋肉のうちのいずれが弱い方の筋肉群であるかを決定する工程、
前記強い方の筋肉群を前記規定レベルで訓練する工程、及び
前記弱い方の筋肉群を前記規定レベル以上のレベルで訓練する工程を含む、訓練方法。
【請求項５４】
請求項５２に記載の訓練方法において、人間の解剖学的構造に関し、前記二つの筋肉群のうちの第１筋肉群が、少なくとも、一方の腕の手の後側及び一方の腕の前腕の外側の筋肉によって形成され、前記二つの筋肉群のうちの第２筋肉群が、少なくとも、他方の腕の手の掌及び他方の腕の前腕の内側の筋肉によって形成されている、訓練方法。
【請求項５５】
請求項５２に記載の訓練方法において、人間の解剖学的構造に関し、前記二つの筋肉群のうちの第１筋肉群は、少なくとも、長橈側手根及び短橈側手根及び尺側手根を含み、前記二つの筋肉群のうちの第２筋肉群は、少なくとも、尺側手根屈筋及び深在性及び表在性の屈筋を含む、訓練方法。
【請求項５６】
請求項５２に記載の訓練方法において、人間の解剖学的構造に関し、前記二群の筋肉のうちの第１筋肉群は、少なくとも、円回内筋及び方形回内筋を含み、前記二群の筋肉のうちの第２筋肉群は、少なくとも、回外筋及び腕橈骨筋を含む、訓練方法。
【請求項５７】
請求項４９に記載の訓練方法において、前記仕事はゴルフクラブをスウィングすることである、訓練方法。
【請求項５８】
請求項５２に記載の訓練方法において、前記仕事はゴルフクラブをスウィングすることである、訓練方法。
【請求項５９】
請求項４９に記載の訓練方法において、前記仕事はテニスラケットをスウィングすることである、訓練方法。
【請求項６０】
請求項５２に記載の訓練方法において、前記仕事はテニスラケットをスウィングすることである、訓練方法。
【請求項６１】
請求項４９に記載の訓練方法において、前記仕事は野球のバットをスウィングすることである、訓練方法。
【請求項６２】
請求項５２に記載の訓練方法において、前記仕事は野球のバットをスウィングすることである、訓練方法。
【発明の詳細な説明】
【技術分野】
【０００１】
本発明は、筋肉トレーニング機及び筋肉訓練方法に関する。本発明は、詳細には、器具のスウィングに使用される一つ又はそれ以上の筋肉を訓練する場合及び／又は器具を回転するのに使用される一つ又はそれ以上の筋肉を訓練する場合に個人が使用するための筋肉トレーニング機、及びこのような筋肉を訓練する方法に関する。
【背景技術】
【０００２】
多くの種類の運動は、このような運動と関連した最終的目的を得ようとする試みで個人が器具をスウィングすることを必要とする。例えば、幾つかのスポーツのゲームに参加する場合、これらのゲームのうちの特定の一つについて独特の幾つかの様々な器具のうちの任意の器具をスウィングすることを必要とする。このような器具の例には、野球やソフトボールのバット、テニスやラケットボールで使用されるラケット、ゴルフで使用されるクラブが含まれる。更に、器具をスウィングする即ち振ることは、例えば掛矢を振ること等の特定のスポーツでない仕事環境でも必要とされる。
【０００３】
上述の運動のうちの任意の運動において、器具をスウィングすることによって得られる効率的であり且つ望ましい最終的な結果は、器具を理想的経路でスウィングしたときに達成される。理想的経路は、個人の身長、体格、及び融通性に応じて変化する。個人が器具を個人の理想的経路でスウィングするとき、様々な筋肉群が互いに正確に機能しなければならない。筋肉の正確性についての必要は、器具がゴルフクラブであり且つ個人がゴルファーであるゴルフの場合に特に明らかである。個人が適正に整合し、器具を理想的経路に沿って適正な速度でスウィングすると、最終的に得られる結果もまた理想的である。
【０００４】
ゴルフの場合には、ゴルフクラブは、金属又は非金属複合材料でできたシャフトを含み、このシャフトの一端にはゴルフヘッドが取り付けられており、「グリップ」と呼ばれるグリップ材料がシャフトの他端に取り付けられている。ゴルフの別の構成要素はゴルフボールである。ゲームの目的は、ゴルファーにとって、クラブを使用して、代表的には、「ティー」と呼ばれる土でできた盛り上がりから、ボールを「カップ」と呼ばれる小さな容器に向かって及びこの容器内に移動することである。カップは、「グリーン」と呼ばれる短く刈り込んだ芝のカーペットに、代表的にはティーから数１００ヤードのところに配置される。
【０００５】
ゴルファーは、（１）クラブのグリップを両手で握り、（２）クラブヘッドをボールに「アドレス」し、クラブヘッドの前面即ちボール打撃面の「スイートスポット」をボールと整合し、（３）クラブを望ましくは理想的経路を通って、「バックスウィング」と呼ばれる動作で持ち上げ、（４）バックスウィングの完了時にクラブのシャフトをゴルファーの頭部の後側の移行位置に配置し、（５）クラブを移行位置から前方に、望ましくは理想的経路を通って、「ダウンスイング」と呼ばれる運動量集合動作でスウィングし、そして、望ましくは、（６）クラブヘッドの前面のスイートスポット差し向けてボールと衝撃係合し、ボールを所望の軌道及び方向に沿って打ち、ボールを最終的にカップに入れることによってボールを移動する。
【０００６】
バックスウィング及びダウンスイングの組み合わせ動作を「ストローク」と呼ぶ。代表的には、ゴルファーは、一般的に「フェアウェイ」と呼ばれる経路に沿ってティーとグリーンとの間を最終目的地であるカップ内までボールを前進するのに７回のストロークを必要とする。
【０００７】
ゴルファーがボールにクラブヘッドのボール衝撃前面（以下、クラブフェースと呼ぶ）でアドレスするとき、上述のように、クラブフェースのスイートスポットは、ボールと隣接しており且つ整合している。ゴルファーがバックスウィングを開始するとき、クラブヘッドは円弧を通ってボールから離れる方向に移動するが、望ましくは、クラブフェースとボールとの間の初期円弧整合を維持する。バックスウィングの初期セグメント中の幾つかの点でクラブシャフトを或る程度回転する解剖学的／機械的必要があり、クラブフェースはボールと円弧整合した状態を失う。ゴルファーがクラブをストロークのダウンスイングでスウィングするとき、ゴルファーはクラブを逆方向に、好ましくはボールの打撃前に効果的に回転し、クラブフェースをボールと円弧整合した状態に戻さなければならない。
【０００８】
望ましくは、全ストロークに亘るクラブの移動に従って、ゴルファーはクラブフェースを理想的経路を通してアドレス位置まで、ボールを所望の軌道及び方向に効果的に打ち且つ運ぶのに必要な運動量で戻さなければならない。
【０００９】
ゴルファーがクラブをスウィングしてボールを打つ度毎に即ちいつでも「完全」なゴルフスウィングを行うことは実際上不可能であるが、何人かのプロゴルファーは、ほぼ「完全」なスウィングをほぼ常に行うように見える。少なくともプロでないゴルファーにほぼ「完全」なスウィングの外形を与えようとする試みで、更に一貫した効率的なゴルフスウィングを提供するための筋肉記憶を開発することを最終的な目的としてゴルファーのスウィング筋肉を訓練するための技術が開発されてきた。それにも拘わらず、ゴルファー又は器具のスウィングを行う人がクラブ又は他の器具を理想的経路に沿って更に良好にスウィングできるようにする装置及び方法についての必要が残されている。
【００１０】
以上の及び他の必要は、個人が器具を経路に沿ってスウィングするとき、第１筋肉又は筋肉群が引っ張り力をスウィング器具に理想的経路に対して全体に横方向の第１方向に及ぼすことを考えている筋肉トレーニング機及び方法によって満たされる。これと同時に、第２筋肉又は筋肉群が、引っ張り力をスウィング器具に理想的経路に対して全体に横方向の、前記第１方向と逆方向の第２方向に及ぼす。第１及び第２の筋肉又は筋肉群の強さが等しい場合には、器具に及ぼされる逆方向の引っ張り力が器具を理想的経路に維持し、最終的な結果を効率的に且つ望ましい方法で達成する。
【００１１】
本発明中で使用されているように、「筋肉」という用語は、単一の筋肉、筋肉群、又はこれらの両方を意味できる。
【００１２】
器具のスウィングを行う場合、第１筋肉が第２筋肉よりも強い場合、第１筋肉は、器具が理想的経路から遠ざかる方向で第１方向に横方向に引っ張られる程度まで、弱い方の第２筋肉を支配し即ち優位となり、これによって個人は、仕事を手で行うのに更に効率的な方法で器具をスウィングしない。この望ましからぬ支配的筋肉状態及びこれに付随する問題点は、例えば器具がゴルフクラブで個人がゴルファーであるゴルフ等のスポーツゲームで特に明らかである。
【００１３】
ゴルフにおける一つの主な目的は、ゴルフクラブのスウィングの理想的平面を得ることである。理想的バックスウィング平面は、ゴルファーの肩に載ってゴルフボールまで延びるガラスシートのようであると説明されてきたが、理想的ダウンスウィング平面は、更に平らな角度にシフトし、クラブヘッド経路の更に内側から外側に捩じれる。これらの理想的平面を得るため、スウィング中にクラブシャフトが辿らなければならない経路は理想的な一つの経路でなければならない。
【００１４】
以下、理想的クラブ経路及び理想的スウィング平面の両方を理想的クラブシャフト平面と呼ぶ。理想的クラブシャフト平面は、ゴルファーの身長、体格、及び融通性に応じて各ゴルファーで異なる。
【００１５】
ゴルフにおける共通のエラーの一例は、クラブシャフトが理想的クラブシャフト平面の後側又は前側にばらついてしまうということである。クラブシャフトを理想的クラブシャフト平面内に保持するという結果を得るため、ゴルフの手及び上腕の二つの反対側の筋肉群が適切な方法で機能しなければならない。これらの筋肉群を、以下、「平面前側」筋肉群及び「平面後側」筋肉群と呼ぶ。これらの二つの筋肉群は、実際のクラブシャフト平面を決定するために綱引きをしている、即ち互いに引っ張り合っていると考えることができる。この場合、理想的には、二つの筋肉群は、いずれの群も他方の群の優位に立たないように、及びクラブのシャフトが理想的クラブシャフト平面内に維持されてここから横方向に移動しないように、強さがほぼ等しくなければならない。
【００１６】
空間内でのクラブ全体の移動を良好に表すため、クラブフェースの位置を、下文において、クラブフェース平面と呼ぶ。クラブフェースのロフトに拘わらず、クラブフェース平面は、あたかもクラブフェースのロフトが０°であるようなクラブフェース位置を表す。或る程度湾曲している理想的クラブシャフト平面とは異なり、クラブフェース平面は、更に適当には、真の平面であると定義される。これは、０°のクラブフェースの延長部であるためである。クラブフェース平面の概念は、クラブのスウィング動作中のクラブフェースの移動とクラブシャフトとの間の関係を視覚化するのを助ける。
【００１７】
平面前側筋肉群と平面後側筋肉群との間の綱引きは、スウィング中のシャフト及びクラブフェース平面の回転に対する解剖学的／機械的必要によって更に複雑になる。「２平面合一」ゴルフスウィング理論では、二つの平面はクラブシャフト平面及びクラブフェース平面である。クラブシャフト平面に関し、真の平面である一つのクラブシャフト平面内にクラブシャフトを保持しながら完全なストロークに亘ってゴルフクラブをスウィングすることは、人間にとって、不可能ではないにしろ非常に困難である。従って、クラブシャフトが移動する経路は、真の平面ではないと言うのが正しい。クラブシャフト平面は、クラブシャフトの経路に対して接線関係で存在する無限の平面を組み合わせた平面である。
【００１８】
アドレス位置で、即ち６時位置で、クラブフェース平面は、クラブシャフト平面に対して本質的に垂直な垂直平面である。右利きのゴルファーのバックスウィング中、クラブフェース平面は、顔と顔とを向き合わせた関係で見てクラブシャフトの軸線を中心として反時計廻り方向に回転し、クラブフェース平面が空気を空力学的方法で「切る」機械的に効率のよい移動を行う。理想的には、バックスウィングの８時位置と１０時位置との間のどこかでクラブフェース平面が反時計廻り方向に９０°回転し、その結果、クラブフェース平面がクラブシャフト平面と合一し即ち同一平面内にくる。この理想的９０°回転を「合一」位置と呼ぶ。バックスウィング完了位置中及びダウンスイング中、クラブフェース平面は、インパクト直前まで、クラブシャフト平面と合一したままでなければならない。インパクト時にクラブフェース平面が時計廻り方向に９０°回転し、「スクゥエア」インパクト位置をとる。この作用が２平面合一ゴルフスウィング理論を定義する。
【００１９】
クラブシャフト及びクラブフェースを回転して２平面合一を行うのに回転筋肉システムを使用する。このシステムは、平面前側筋肉群及び平面後側筋肉群の筋肉を含む。ゴルファーの前に立ってゴルファーのスウィングを見ると、回転筋肉システムは二つの筋肉群、即ち反時計廻り方向回転筋肉群及び時計廻り方向回転筋肉群に分けることができる。
【００２０】
２平面合一理論では、いずれかの回転筋肉群が過度に作用すると、「非合一」エラーが生じる。こうした非合一エラーは、クラブフェース平面の回転量が９０°よりも大き過ぎるか或いは小さ過ぎる場合に生じる。例えば、右利きのゴルファーのバックスウィング中、反時計廻り方向回転筋肉群の過度の作用により、クラブフェース平面の回転角度が９０°よりも大きくなり、「オープン」クラブフェース位置になる。時計廻り方向回転筋肉群の過度の作用により、クラブフェース平面の回転角度が９０°よりも小さくなり、「シャット」又は「クローズド」クラブフェース位置になる。
【００２１】
スウィングと関連したこの他の重大な変数には速度及び円弧が含まれる。円弧は、クラブヘッドの経路に関し、ゴルファーの身体から遠ざかる方向での手の延び量、ゴルファーの手首のタイミング、肩の回転量、及びゴルファーによる腰部の回転量によって決定される。円弧及び速度の変数は、２平面合一についての適正な筋肉記憶がひとたび得られると、操作及び管理が遙かに容易である。
【００２２】
ゴルフクラブを通常の方法でスウィングするときに代表的に使用される動作に似た動作を通して反対側の筋肉群を動かすことによって、例えば上文中に説明した４つの筋肉群等の反対側の筋肉群の記憶パターンの訓練及び改良を行うことができる。支配的な即ち強い筋肉群を被支配的な即ち弱い筋肉群と同程度に訓練すると、望ましからぬことに、これらの二つの筋肉群間の強さのインバランスが維持されてしまう。被支配的筋肉群の強さレベルを支配的筋肉群と同じにしようとして被支配的筋肉群だけを訓練すると、支配的筋肉は筋肉の強さを失いがちであり、二つの筋肉群の所望の筋肉記憶を得るのが不可能ではないにしろ困難になる。
【発明の開示】
【発明が解決しようとする課題】
【００２３】
かくして、反対側の筋肉群を同時に持続的に訓練し、所望の記憶パターンを開発すると同時に被支配的筋肉群に更に強い訓練プログラムを加え、最終的に反対側の筋肉群の筋肉の強さをバランスのとれたものにする、筋肉トレーニング機及び訓練方法が必要とされている。
【課題を解決するための手段】
【００２４】
本発明の考えられる筋肉トレーニング機は、グリップ表面が配置された本体、及びこの本体の規定位置にグリップ表面から間隔が隔てられて位置決めされた、人が器具のスウィングを行うときに通常は弱い方の筋肉が器具に加える力方向から遠ざかる方向に本体の規定位置を押圧するための力発生器を含む。
【００２５】
本発明は、更に、基端及びこの基端から間隔が隔てられた先端を持つ本体を含む筋肉トレーニング機を考えている。グリップ部分は、本体に、その先端よりも基端の近くに形成されている。力発生器は、本体に、基端よりも先端の近くに形成されており、器具のスウィングを行うときに通常は弱い方の筋肉が器具に加える力方向から遠ざかる方向に本体の先端を押圧するように位置決めされている。
【００２６】
更に、本発明は、基端及びこの基端から間隔が隔てられた先端を持つ本体を含む筋肉トレーニング機を考えている。グリップ部分は本体にその先端よりも基端の近くに形成されている。モータが本体に配置されており、プロペラがモータに取り付けられている。プロペラは、モータを作動したとき、筋肉トレーニング機のスウィングを行うときに通常は弱い方の筋肉がスウィング筋肉トレーニング機に加える力方向から遠ざかる方向にプロペラが本体の先端を押圧するように作動される位置に取り付けられる。
【００２７】
更に  本発明は、ゴルフクラブを理想的クラブシャフト平面内でスウィングしようとするときにゴルファーが代表的に使用する二つの反対側の平面筋肉のうちの少なくとも被支配的平面筋肉をゴルファーが訓練する方法を考えている。この場合、被支配的平面筋肉は、被支配的スウィング力をゴルフクラブに被支配的スウィング力方向で加え、支配的平面筋肉は、被支配的スウィング力以上の支配的スウィング力をゴルフクラブに被支配的スウィング力方向と逆の支配的スウィング力方向で加える。
【００２８】
本発明で考えられている方法は、ゴルフクラブ又はゴルフクラブシミュレーターをゴルファーが通常発生するゴルフシャフト平面内でスウィングする工程、被支配的平面筋肉により、支配的平面筋肉がゴルフクラブを理想的クラブシャフト平面から遠ざかる方向に支配的スウィング力方向に引っ張ることができることにより、実際のクラブシャフト平面が理想的クラブシャフト平面の外側にあるかどうかを決定する工程、ゴルフクラブシミュレーターに、ゴルファーが加える力とは別個に外力を加え、シミュレーターを支配的スウィング力方向に更に押圧する工程、及び被支配的平面筋肉を使用してゴルフクラブシミュレーターを外力に抗して被支配的スウィング力方向に理想的クラブシャフト平面に向かって引っ張り、これによって被支配的平面筋肉を支配的平面筋肉よりも強く訓練し、最終的に二つの筋肉のバランスのとれた筋肉強さを提供する工程を含む。
【００２９】
更に  本発明は、ゴルフクラブを理想的２平面合一でスウィングしようとするときにゴルファーが代表的に使用する二つの反対側の回転筋肉のうちの少なくとも被支配的回転筋肉をゴルファーが訓練する方法を考えている。この場合、被支配的回転筋肉は、被支配的スウィング力をゴルフクラブに被支配的スウィング力方向で加え、支配的回転筋肉は、被支配的スウィング力以上の支配的スウィング力をゴルフクラブに被支配的スウィング力方向と逆の支配的スウィング力方向で加える。
【００３０】
本発明で考えられている方法は、ゴルフクラブ又はゴルフクラブシミュレーターをゴルファーが通常発生する２平面関係でスウィングする工程、被支配的回転筋肉により、支配的回転筋肉がクラブフェース平面を理想的２平面合一から遠ざかる方向に支配的スウィング力方向に回転できることにより、実際の２平面関係が２平面合一関係の外側にあるかどうかを決定する工程、ゴルフクラブシミュレーターに、ゴルファーが加える力とは別個に外力を加え、シミュレーターを支配的回転方向に更に押圧する工程、及び被支配的回転筋肉を使用してゴルフクラブシミュレーターを外力に抗して被支配的回転方向に理想的２平面合一に向かって回転し、これによって被支配的回転筋肉を支配的回転筋肉よりも強く訓練し、最終的に二つの筋肉のバランスのとれた筋肉強さを提供する工程を含む。
【００３１】
更に、本発明は、ゴルファーが両平面筋肉及び両回転筋肉を同時に訓練する方法を考えている。
【００３２】
別の特徴では、本発明は、代表的には協働して規定の仕事を行う人間の二つの解剖学的筋肉を訓練する方法を提供する。この方法は、二つの筋肉のうちの一方の筋肉を規定レベルで訓練すると同時に、二つの筋肉のうちの他方の筋肉を規定レベル以上のレベルで訓練する工程を含む。本発明の様々な変形例では、規定の仕事は、ゴルフクラブをスウィングすること、テニスラケット又は同様の種類のラケットをスウィングすること、野球用のバットをスウィングすることである。
【００３３】
更に別の特徴では、本発明は、代表的には協働して規定の仕事を行う人間の二群の解剖学的筋肉を訓練する方法を提供する。本方法は、二群の筋肉のうちの一方の筋肉を規定レベルで訓練すると同時に、二群の筋肉のうちの他方の筋肉を規定レベル以上のレベルで訓練する工程を含む。本発明の変形例では、規定の仕事は、ゴルフクラブをスウィングすること、テニスラケット又は同様の種類のラケットをスウィングすること、野球用のバットをスウィングすることである。
【００３４】
本発明のこの他の利点は、添付図面と関連して詳細な説明を参照することによって明らかになる。添付図面は、細部を更に明瞭に示すように等縮尺ではなく、幾つかの図面に亘って同様のエレメントに同じ参照番号が付してある。
【発明を実施するための最良の形態】
【００３５】
図１を参照すると、ゴルファー３０はゴルフクラブ３２のバックスウィングを完了しており、クラブはバックスウィングのピークにあり、即ちバックスウィング完了位置にあり、フルストロークの完了に先立ってクラブのダウンスイングを開始するために構えている。クラブ３２は、その先端と基端との間を延びるクラブシャフト３４を含む。クラブヘッド３６がシャフト３４の先端に取り付けられており、グリップ３８がシャフトの基端近くでシャフトの一部の周囲に形成されている。
【００３６】
グリップ３８は、代表的には、シャフト３４の基端のその外端からシャフトの先端に向かって延びており、シャフトの中間部分に沿ってグリップの内端で終端する。クラブ３２のスウィングの準備で、ゴルファー３０は、従来のクラブグリップ方法で手をグリップ３８に置き、これによって一方の手、例えば右手の親指を他方の手の親指よりもグリップ３８の内端近くに置く。説明の目的で、グリップ３８の内端に近い方の親指を、本明細書中、内親指と呼ぶ。
【００３７】
バックスウィングの開始前に、ゴルファー３０は手を従来のクラブグリップ方法でグリップ３８の周囲に置き、ゴルフボール４０に「アドレス」する。ゴルフボールは、アドレス時にゴルファーの前に、即ち６時の位置に置かれ（図６参照）、理想的には、クラブヘッド３６の「スイートスポット」をボールと整合する。
【００３８】
６時の位置から図１に示すバックスウィング完了位置までのクラブ３２のバックスウィング移動中、ゴルファー３０はクラブシャフト３４を全体に「Ｃ」形状経路４２を通って移動する。以下、この経路を「クラブシャフト平面」と呼ぶ。理想的なクラブシャフト平面は平らであり、ダウンスイング中に僅かに曲がり、別の及び別個の理想的ダウンスイングクラブシャフト平面を形成する。理想的ダウンスイングクラブシャフト平面を形成するゴルファーの能力は、ほぼ全てが、理想的バックスウィングクラブシャフト平面を維持するゴルファーの能力で決まる。クラブをこれらの理想的クラブシャフト平面に維持することによって、ゴルファーは、クラブのフェースの「スイートスポット」でゴルフボールを打ち、ボールの所望の軌道及び方向を得ることができる。
【００３９】
プロゴルファーは時々エラント（ｅｒｒａｎｔ）ショットをするけれども、こうしたショットは稀である。彼らの本来の能力、トレーニング方法、筋肉のバランス及び筋肉記憶パターン、プロとしての技術により、ボールの所望の軌道及び移動方向を得るショットを一貫して行う。しかしながら、その外の多くのゴルファーは、ボールの軌道及び方向を常に所望のとおりにするという高い目標を達成するようにゴルフクラブ３２をスウィングすることができないという厄介な問題と常に戦っている。プロゴルファーが実地教授する本来の能力をプロでない多くのゴルファーが得ることは有りそうもないことであるけれども、プロでないゴルファーは、ゴルフクラブのスウィングで使用する選択された筋肉をトレーニングすることによって、ゴルフというゲームのプレイを改善できる。
【００４０】
先ず最初に、所望の結果を得るため、ゴルファー３０はクラブ３２を正しくグリップする能力、クラブをスウィングするときに適切なスタンス及び姿勢を維持する能力を備えていなければならない。次いで、ゴルファー３０は、どのような種類のプレッシャーがあっても良好なゴルフショットを行うための一貫した能力を提供する上で必要な、彼等の手、手首、肩、及び身体のその外の部分の特定の筋肉群の訓練に真剣に取り組まなければならない。
【００４１】
本明細書中に説明した筋肉トレーニング機の様々な実施例は、ゴルファー３０がクラブ３２をスウィングする上で代表的に使用される適当な筋肉を訓練し且つトレーニングする方法を容易にするように設計されている。このような訓練は、これらの筋肉の強さ及びバランスを高め、良好なゴルフショットを常に行う上で必要な筋肉記憶パターンを微調整するように設計されている。本明細書中に説明した筋肉トレーニング機を使用することによって行われる訓練方法は、ゴルフクラブ３２のスウィングとこうしたスウィング作用に関与する筋肉及び筋肉群との間の関係の以下に説明する原理を理解することによって、理解できる。
【００４２】
「２平面合一」ゴルフスウィング理論では、二つの平面をクラブシャフト平面及びクラブフェース平面と呼ぶ。クラブシャフト平面に関し、真の平面である一つのクラブシャフト平面内にクラブシャフトを保持した状態で、ゴルフクラブを一つの完全なストロークに亘ってスウィングすることは、人間にとって、不可能ではないにせよ非常に困難である。従って、クラブシャフトが移動する経路は真の平面ではないと言うのが正しい。クラブシャフト平面は、クラブシャフトの経路に対して接線関係で存在する無限の平面の組み合わせである。
【００４３】
クラブフェース平面は、バックスウィング中の空間内でのクラブフェースの位置を表す。クラブフェースのロフトに拘わらず、クラブフェース平面は、まるでクラブフェースのロフトが０°であるようなクラブフェースの位置を表し、更に適当には、真の平面と定義される。これは、クラブフェースの表面の延長であるためである。クラブフェース平面の概念は、クラブのスウィング動作中のクラブフェース及びクラブシャフトの移動間の関係を視覚化するのを助ける。
【００４４】
アドレス時に、即ち６時位置において、クラブフェース平面は、理想的には、クラブシャフト平面に対して本質的に垂直な垂直平面である。バックスウィング中、ゴルファーがクラブフェース５２及びクラブフェース平面をクラブシャフト３４の軸線を中心として回転し、クラブフェースが空気中を空力学的方法で「スライス」する機械的に効率のよい移動を可能にする。理想的には、バックスウィングの８時位置と１０時位置との間のどこかでクラブフェース平面が約９０°に亘って回転し、これによってクラブフェース平面がクラブシャフト平面と合一し、同一平面内にくる。この理想的９０°回転を「合一」位置と呼ぶ。バックスウィングが完了し、ダウンスイング中、クラブフェースは、クラブフェース平面がインパクト位置まで約９０°回転するインパクト直前まで、クラブシャフト平面と合一したままでなければならない。この作用が２平面合一ゴルフスウィング理論を定義する。
【００４５】
この２平面合一理論内のエラーを「非合一」状況と呼ぶ。これらの非合一エラーは、クラブフェース平面の回転量が９０°よりも大き過ぎるか或いは小さ過ぎるかのいずれかの場合に起こる。クラブフェースの回転角度が９０°以下である場合には、クラブフェースは「クローズド」又は「シャット」位置にあると言われる。回転角度が９０°以上である場合には、クラブフェースは「オープン」位置にあると言われる。
【００４６】
スウィングと関連した非常に重要な変数には、速度及び弧が含まれる。弧はクラブヘッド３６の経路に関し、ゴルファーの身体から遠ざかる方向に手が延びている量、ゴルファーの手首のタイミング、肩の回転量、及びゴルファーによる腰の回転量で決まる。弧及び速度の変数は、２平面合一のための正しい筋肉記憶がひとたび得られると、操作及び管理が遙かに容易である。
【００４７】
スウィング動作中、図１に示すように、プロでないゴルファー３０がクラブシャフト３２を理想的クラブシャフト平面４２の外側に置くことは珍しいことではない。このような理想的クラブシャフト平面からのずれを、下文において、クラブシャフトを理想的クラブシャフト平面の前側又は後側に（即ち図１で見て上方及び下方の夫々に）位置決めすると言う。図２を参照すると、クラブ３２の図示の位置は、クラブシャフトが図１に示す理想的クラブシャフト平面の後側の位置にあることを示す。図３を参照すると、クラブ３２の図示の位置は、クラブシャフトが図１に示す理想的クラブシャフト平面の前側の位置にあることを示す。
【００４８】
ゴルファーにとって、理想的クラブシャフト平面の前側又は後側へのクラブシャフトのずれの量を最少にする、望ましくはなくすことが重要である。これには、ゴルファーの手及び前腕の二つの筋肉群が適正に且つバランスがとれた状態で機能することが必要とされる。クラブシャフトを理想的クラブシャフト平面の前側に位置決めすることと関連した筋肉群を「平面前側筋肉」と呼び、クラブシャフトを理想的クラブシャフト平面の後側に位置決めすることと関連した筋肉群を「平面後側筋肉」と呼ぶ。これらの二つの筋肉群が調和したとき、即ち強さが等しく且つバランスがとれたとき、ゴルファー３０は、クラブシャフト３４が理想的クラブシャフト平面４２内にある状態でゴルフクラブ３２をスウィングできる。
【００４９】
バックスウィング中のクラブシャフト３４のずれ方向、即ちこのような方向が理想的クラブシャフト平面４２の前側又は後側のいずれかであるかは、バックスウィング動作中のゴルファーを観察することによって決定でき、本明細書中に説明されているような補正作用を行うのにゴルファーが使用するために提供される。更に、ゴルファーのずれ方向を記録するためにビデオカメラを使用でき、その後、補正作用を行うのに使用するため、ビデオの再生時にゴルファー３０が観察する。
【００５０】
ゴルファー３０が図６に示すようにアドレス位置に立っているとき、ゴルファーの手、手首、腕、及び肩が三角形を形成する。右利きのゴルファーについては、平面前側筋肉は、左手の後側、左前腕の外側、右手の掌、及び右前腕の内側にあり、これには右の尺側手根屈筋、右の深在性及び表在性の屈筋、左の長橈側手根及び短橈側手根、及び左の尺側手根延筋が含まれる。平面後側筋肉は平面前側筋肉と鏡像対称であり、即ち、上述の筋肉で「左」の代わりに「右」を使用し、「右」の代わりに「左」を使用したものである。左利きのゴルファーについては、これらの関係は正確に逆である。
【００５１】
バックスウィング中、平面前側筋肉群及び平面後側筋肉群は、本質的には、頭に思い浮かべたロープの両端の夫々に各筋肉群を置いた状態で綱引きしている。平面後側筋肉が必要以上に作用する、即ち支配的である場合には、これらの筋肉の引っ張り力によりクラブシャフト３４は理想的クラブシャフト平面４２の後側に移動する。平面前側筋肉が必要以上に作用する、即ち支配的である場合には、逆の効果が生じる。こうした状況では、いずれかの群が他の群よりも支配的であることがないようにするため、被支配的筋肉群を強くし、これによって綱引きにバランスをもたらし、クラブシャフト３４を理想的クラブシャフト平面４２に維持する必要がある。
【００５２】
これらの二つの筋肉群間の綱引きは、上文中に説明した２平面合一ゴルフスウィング理論でクラブフェース平面をクラブシャフト平面と合一するため、シャフト及びクラブフェースを約９０°回転する必要によって更に複雑になる。バックスウィング中、８時位置と１０時位置との間のどこかで２つの平面の合一が起こり、これらの二つの平面は、ダウンスイング中、クラブフェースとボールとの間のインパクトの直前まで合一したままである。クラブシャフト平面とクラブフェース平面とを合一し、インパクト直前までこれらの平面とが合一した状態を維持することにより、クラブフェースが、上文中に説明したように空力学的方法で空間をスライスする機械的に効率的なスウィングを形成する。このような合一は、プレッシャーがかかった状態で繰り返しスウィングパターンを行う上で重要である。
【００５３】
２平面合一を行うためのクラブシャフト及びクラブフェースの回転は、平面前側筋肉群及び平面後側筋肉群の筋肉を含む回転筋肉系を使用する。ゴルファーの前に立って彼のスウィングを見るとき、回転筋肉系は、二つの筋肉群、即ち反時計廻り方向回転筋肉群及び時計廻り方向回転筋肉群に分けることができる。詳細には、右利きのゴルファーについての反時計廻り方向回転筋肉には、右回外筋、右腕橈骨筋、左円回内筋、左方形回内筋が含まれる。右利きのゴルファーについての時計廻り方向回転筋肉には、左回外筋、左腕橈骨筋、右円回内筋、右方形回内筋が含まれる。これらの関係は、左利きのゴルファーについては逆である。
【００５４】
２平面合一理論では、いずれかの時計廻り方向回転筋肉群を必要以上に作用すると、非合一エラーが生じる。例えば、右利きのゴルファーのバックスウィング中、時計廻り方向回転筋肉群を必要以上に作用すると、クローズドクラブフェース位置が生じる。反時計廻り方向回転筋肉群を必要以上に作用すると、オープンクラブフェース位置が生じる。
【００５５】
実践するとき、ゴルファーは多くの場合、彼のスウィング動作中にクラブの位置を改善するために位置決め教練を使用する。これらの位置決め教練は、通常は、ゴルファーが実際の競技で使用するスウィング速度よりも遙かに遅いスウィング速度で行われる。筋肉群のバランスがとれていない状態でも、クラブをゆっくりとスウィングする期間中、クラブシャフトを理想的クラブシャフト平面内に保持し且つ２平面合一を行う適切な試みを行うことができる。しかしながら、スウィングの速度を上げていくと、こうした目的を達成するのが次第に困難になる。ゴルファーが実際の競技中に使用する速度でスウィングする場合に理想的クラブシャフト平面及び２平面合一を維持するため、平面前側筋肉群及び平面後側筋肉群並びに反時計廻り方向回転筋肉群及び時計廻り方向回転筋肉群の間で絶妙なバランスをとらなければならない。
【００５６】
かくして、ゴルフのゲームを行う能力を向上したいと願っている上文中に説明した筋肉優位性欠乏症にかかっているゴルファーにとって、４つの筋肉群のバランスをとる訓練プログラムが絶対に必要である。ゴルファーがこのような訓練プログラムに着手しようとする場合、重要なことは、４つの筋肉群の間で強さのバランス及び一貫した筋肉記憶パターンが得られるように、４つの群の筋肉の特定の必要に対処できるということである。
【００５７】
本明細書中に説明した様々なトレーニング機は、被支配的な即ち弱い方の筋肉群を強化するのに大きな努力を払いながら４つの群の筋肉の筋肉を訓練するように設計されている。この方法では、支配的筋肉群は、筋肉の強さを保持するように訓練され、これと同時に、被支配的筋肉群は、その筋肉の強さを高めるため及び四つの群をバランスがとれた状態にするために使用され、訓練が更に力強く行われる。更に、四つの筋肉群を互いに働かせ且つ訓練することによって、筋肉記憶パターンが高められ、これらの四つの筋肉群間で発達する。
【００５８】
四つの筋肉群が、強さ、バランス、及び記憶パターンにおいて均等性を得ると、ゴルファー３０は、ボール４０の所望の軌跡及び移動方法を得るため、クラブ３４をクラブシャフト平面内に更に一貫して維持でき、２平面合一理論の原理を更に効率的に実践できる。      
【００５９】
図４及び図５に示すように、本発明の第１実施例の筋肉トレーニング機４４は中空シャフト５４を含み、このシャフトの先端には平らなモータ取り付けパッド５６が設けられており、基端と隣接してグリップ５８が外側に取り付けられている。グリップ５８は、例えばクラブ３２（図１参照）等の従来のゴルフクラブのグリップを形成する上で代表的に使用されている例えば皮等の軟質の非金属材料から形成される。
【００６０】
図４及び図５を参照すると、筋肉トレーニング機４４は電動モータ６０を更に含み、このモータはそのモータハウジング６４の一端から延びる回転自在の駆動シャフト６２を有する。モータハウジング６４の一端は、パッド５６の第１側６６に当てて配置されており且つこのパッドにねじ６７等によって取り付けられている。駆動シャフト６２は、パッド５６を通して形成された開口部６９を通ってパッドの第２側６８まで延びている。
【００６１】
モータ６０は、代表的には、例えば模型飛行機等の無線制御式小型模型に動力を提供するのに使用される種類のモータであってもよい。モータ６０は、直流電源又は交流電源のいずれでも作動できる、小型の家庭用電気機器及び小型電動工具の作動に一般的に使用されている交直両用モータと呼ばれる種類のモータであってもよい。モータ６０の作動速度は、例えば、加減抵抗器、整流作用を持つ可変変圧器によって、又はシリコン制御整流器を使用することによって電子的に制御でき且つ変化させることができる。更に、モータのいずれかの回転方向での選択的作動を容易にするため、モータ６０で転極器を使用できる。速度制御装置及び転極器の適当な例は、国会図書館のカタログカード番号第７８−６１２４４号で見つけることができる、ミネソタ州ホプキンスのエレクトロ−クラフト社から入手できる１９８０年８月に出版された「直流モータ速度制御装置サーボシステム」という表題の便覧の第５版の第３章に記載されており且つ及び第３．１．１図、第３．１．２図、第３．１．３図、及び第３．３．１０図に示してある。
【００６２】
図４及び図５を参照すると、ファンブレードアッセンブリ７０は、ハブ７４にしっかりと取り付けられた一対のブレード７２を含む。ハブ７４は、モータ６０の回転自在の駆動シャフト６２の先端に取り付けられており、駆動シャフト６２にこのシャフトとともに回転するように取り付けられている。好ましくは、保護ケージ７６がパッド５６にしっかりと取り付けられている。これは、ブレード７２がケージの外の誰か、又は何らかの物体と接触して傷つけたり損傷したりすることがないようにするためである。本明細書中に説明した筋肉トレーニング機の実施例の各々は、好ましくは、ケージ７６等の保護ケージを含む。この保護ケージは、夫々の実施例の各々のファンブレードアッセンブリを明瞭に例示する目的のため、全ての図面に示してあるわけではない。
【００６３】
モータが取り付けられた図４及び図５に示す実施例では、モータ６０及びブレード７２の共通の軸線は、好ましくは、シャフト５４から約９０°の角度で延びている。モータ６０及びファンブレードアッセンブリ７０の組み合わせは、力発生器の一実施例である。
【００６４】
図４を参照すると、配線アッセンブリ７７は一対の導電性ワイヤ７８及び８０を含む。これらのワイヤは、一端がプラグ８２に接続されており、その反対端がモータ６０に接続されている。ワイヤ７８及び８０は、プラグ８２から、中空シャフト５４の基端に形成された軸線方向開口部８４を通り、中空シャフト内の軸線方向通路８６を通り、パッド５６の近くのシャフトの側部分を通して形成された開口部８８を通り、モータ６０への接続部まで延びている。
【００６５】
相互交換自在であり且つ充電可能な電気バッテリーパック等の電源９０が、好ましくは、一対の電気ワイヤ９２、９４を通してソケット９６に接続される。バッテリーパックからモータ６０に電気作動力を加えるのを容易にするため、ソケット９６はプラグ８２と噛み合い且つこのプラグに接続できる。筋肉トレーニング機４４の使用中にゴルファー３０がバッテリーパック９０を選択的に配置するため、好ましくは、十分な長さの配線アッセンブリ７７がプラグ８２とシャフト開口部８４との間を延びている。上述のように、モータ６０は、代表的には従来の家庭用電源等を通して利用できる単相６０Ｈｚ等の交流電源によって作動できる。別の態様では、バッテリー等の電池をクラブのハンドル又はシャフトに配置してもよい。
【００６６】
訓練セッション中にゴルファーが筋肉トレーニング機４４の作動制御を容易に選択的に行うため、ばね賦勢された押しボタンスイッチ９８がゴルファー３０の親指、その他の指、又は手がアクセスするのに便利なグリップ５８の任意の位置に取り付けられている。好ましくは、押しボタンスイッチ９８は、ゴルファーが従来のゴルフグリップ方法で手をグリップ５８の周囲に置いたときにゴルファー３０の内側の親指がスイッチ９８上に置かれるように、グリップ５８上に配置される。ゴルファーの手がこの位置にあるとき、ゴルファーは、ゴルファーが訓練モードにあるときにグリップ５８の周囲でのいずれかの手の位置に干渉することなく、押しボタンスイッチ９８を押すことによってモータ６０を選択的に作動できる。
【００６７】
ゴルファーが訓練サイクルを行っている期間中、ゴルファーは押しボタンスイッチ９８を押し続けることによってスイッチを閉じた状態に維持し、その結果、モータ６０は訓練サイクル中、作動状態のままである。押しボタンスイッチ９８を離すと、ばね賦勢されたスイッチが開き、モータ６０からの作動力がなくなる。所望であれば、押しボタンスイッチ９８は、筋肉トレーニング機４４の夫々の使用者の様々なグリップ位置に合わせてグリップ５８上の様々な位置に取り付けることができる。
【００６８】
図４を参照すると、制御モジュール１００が配線アッセンブリ７７に接続されている。このモジュールは、筋肉トレーニング機４４の使用者が訓練モード中に筋肉トレーニング機の使用前にモータ６０の速度及び回転方向を予め選択できるように、例えば上文中に説明したような速度制御装置及び転極器を含む。速度制御装置は、筋肉トレーニング機４４で具体化された基本的発明の第１の特徴であり、転極器は、筋肉トレーニング機４４で具体化された基本的発明の第２の特徴であり、速度制御装置及び転極器の組み合わせは、筋肉トレーニング機４４で具体化された基本的発明の第２の特徴である。本発明の変形例では、制御モジュール１００はシャフトのハンドル等に配置される。
【００６９】
筋肉トレーニング機４４の以下の使用例及び二組の筋肉の訓練方法の実践では、ゴルファー３０は右利きのゴルファーであり、平面前側筋肉が被支配的筋肉群を形成する。
【００７０】
ゴルファー３０が訓練セッション中に筋肉トレーニング機４４を使用しようとするとき、ゴルファーは、好ましくは従来のゴルフクラブ３２を使用し、上文中に説明したようにクラブシャフト３４が理想的クラブシャフト平面４２の前側にあるか或いは理想的クラブシャフト平面の後側にあるかのいずれかを決定するため、個人的オブザーバーがいる状態で、又はビデオカメラの前で幾つかの実践ストロークを行う。オブザーバーによって、又はビデオカメラを使用することによって伝えられた情報が、ゴルファーの平面前側筋肉が被支配的筋肉群であることを示す場合には、ゴルファー３０は制御モジュール１００により回転速度及び回転方向を所望の通りに調節する。
【００７１】
モータ６０及びブレード７２の速度により、筋肉トレーニング機４４の先端を以下に説明する方法で押圧する引っ張り力の大きさが決まる。ゴルファー３０は、ゴルファーが訓練サイクルを行おうとする線型引っ張り力のレベルを選択的に定めるため、制御モジュール１００の速度制御装置を調節できる。次いで、以下に説明するように、制御モジュール１００の転極器を調節することにより、線型引っ張り力が加えられる方向を定める。
【００７２】
ゴルファー３０は、速度及び回転方向の調節を制御モジュール１００のところで行った後、図６に示すように、筋肉トレーニング機３３のバッテリーパック９０をゴルファーのパンツの右前ポケット等の従来の位置に置く。パンツのポケットに配置する代わりに、バッテリーパック９０をゴルファーのベルトに装着したり、快適であり且つ筋肉トレーニング機４４のスウィングを妨げることがないその外の位置に装着したりできるということに着目されたい。
【００７３】
ゴルファー３０は、筋肉トレーニング機４４のグリップ５８を、ブレード７２がゴルファーの右方に延びる状態で従来のクラブグリップ方法で握る。これもまた、図６に示してある。ゴルファー３０は、図６に示すように、ゴルファーがボールに６時位置でアドレスしているような位置及びスタンスをとる。グリップ５８、シャフト５４、パッド５６、及びブレード７２の組み合わせ軸線方向長さは、訓練セッション中にゴルファーが立っている表面の上方にブレードがくるように、代表的なゴルフクラブの長さよりも僅かに小さい。
【００７４】
ゴルファー３０は、ゴルファーの内側親指を使用することによって、ばね賦勢された押しボタンスイッチ９８を押し、モータ６０を作動する。転極器を予め調節することによってモータ６０の適切な回転方向を選択することによって、ブレード７２の回転移動によって発生する線型引っ張り力が筋肉トレーニング機４４の先端を図６、図８、及び図９に矢印１０２で示すようにゴルファーの右方に押圧する。訓練サイクルの訓練段階を開始するため、ゴルファー３０は、筋肉トレーニング機４４をアドレス位置（図６参照）から、従来のノンストップバックスウィングで、図７、図８、及び図９に示す位置を通ってスウィングする。
【００７５】
変形例では、ゴルファー３０は、以下に説明するように、図９に示すバックスウィング完了位置に達するまで、幾つかの段階的動作で筋肉トレーニング機４４を使用できる。段階的動作中、ゴルファーは、トレーニング機を６時位置のアドレス位置から、例えば７時位置等の次の位置まで段階を移行し、例えば８時位置まで進む前にトレーニング機の動作を停止する。このパターンは、各時計位置を通って続けられ、例えば図９に示すバックスウィング完了位置まで、トレーニング機を次の段階位置に移動する前に筋肉トレーニング機を各段階位置に規定時間に亘って保持しながら続けられる。
【００７６】
ゴルファー３０のノンストップバックスウィング中、又は段階的動作中、支配的筋肉群及び被支配的筋肉群は、筋肉トレーニング機４４のシャフト５４をスウィングストロークに亘ってクラブシャフト平面内に維持する試みで、ゴルファーがクラブのスウィングを行うときにこうした筋肉トレーニング機群がゴルフクラブ３２を動かすのと同様に、綱引きを行うように互いに作用する。このようにして、支配的筋肉群及び被支配的筋肉群は、両群が訓練を受け且つ二つの群の筋肉記憶パターンが高められるような程度まで、互いに作用する。
【００７７】
更に、図８及び図９に矢印１０２で示すように、モータ６０は、回転ブレードが発生する線型引っ張り力が筋肉トレーニング機４４を図示の方向に押圧するか或いは引っ張ろうとする方向にブレード７２を回転する。この方向は、被支配的筋肉群がトレーニング機４４を通常差し向ける方向とは逆方向である。従って、この場合に平面前側筋肉群である被支配的筋肉群が、支配的筋肉群即ち平面後側筋肉群よりも強く作用する。これは、シャフト５４をクラブシャフト平面内に配置するばかりでなく、回転しているブレード７２の線型引っ張り力に打ち勝とうとするためである。このようにして、訓練において、被支配的筋肉群からなる平面前側筋肉に、平面前側筋肉よりも大きなストレスを加える。
【００７８】
バックスウィング完了位置に達したとき（図９参照）、ゴルファー３０はばね賦勢された押しボタンスイッチ９８を離し、モータ６０の作動を停止し、これによって訓練動作の１サイクルを完了する。その結果、平面前側筋肉を余分にトレーニングする効果が得られ、これによって二つの筋肉群間を綱引きがバランスとれた状態にし、その結果、理想的クラブシャフト平面を刻み付ける。
【００７９】
右利きのゴルファーの平面前側筋肉が被支配的筋肉である場合には、回転ブレード７２の線型引っ張り力が図６、図７、図８、及び図９に矢印１０２で示す方向と逆になるように筋肉トレーニング機４４を１８０°回転する。筋肉トレーニング機４４は、この場合、この場合に被支配的筋肉群である平面後側筋肉群の方が、上文中に説明した理由により強く訓練されることを除き、上文中に説明した訓練段階同じプロセスを辿る。
【００８０】
変形例では、平面前側筋肉が被支配的筋肉群である場合、制御モジュール１００の転極器を上文中に説明した状態の逆にしてもよい。その結果、モータ６０及びブレード７２の回転が逆になり、図６、図７、図８、及び図９に矢印１０２で示す方向と逆方向に線型引っ張り力を提供する。
【００８１】
ゴルファーが左利きである場合には、左利きのゴルファーについての線型引っ張り力の方向は、右利きのゴルファーについて上文中に説明した引っ張り力とは鏡像対称である。従って、筋肉トレーニング機４４の転極器をこれに従って切り換え、左利きのゴルファー３０に合わせて鏡像対称の引っ張り力を提供する。また、筋肉トレーニング機４４は、右利きのゴルファーに関して上文中に説明したのと同じ方法で使用される。
【００８２】
図１０に示すように、本発明の第２実施例である筋肉トレーニング機１０４は、中空シャフト１０６を含む。筋肉トレーニング機１０４は、シャフト１０６の長さがシャフト５４の長さよりも短いという点で筋肉トレーニング機４４（図４参照）と異なる。その外の点では、筋肉トレーニング機４４及び１０４は実質的に同じである。図１０では、シャフト１０６を除く筋肉トレーニング機１０４のエレメントには、図４に示す筋肉トレーニング機４４の対応するエレメントと同じ参照番号が付してある。
【００８３】
筋肉トレーニング機１０４のモータが取り付けられた構成では、図１０に示すように、筋肉トレーニング機４４のモータが取り付けられた構成におけるのと同様に、モータ６０及びブレード７２の共通の軸線がシャフト５４から９０°の角度で延びている。
【００８４】
筋肉トレーニング機１０４は、好ましくは、筋肉トレーニング機４４と同様に、上文中に説明したように使用される。シャフト１０６が短いため、筋肉トレーニング機１０４は、例えば家の部屋等の狭い室内で使用できる。更に、筋肉トレーニング機４４を使用することによって得ることができる上文中に説明した利点は、筋肉トレーニング機１０４でも得ることができる。
【００８５】
上文中に説明したように、二平面合一を行うため、クラブシャフト及びクラブフェースの回転は、平面前側筋肉群及び平面後側筋肉群からの筋肉を含む回転筋肉系を使用する。左利きのゴルファー及び右利きのゴルファーの両方の回転筋肉系に含まれる特定の筋肉  は、上文中に明らかにしてある。ゴルファーのスウィングの全体としての向上を図るため、これらの回転筋肉もまた訓練しなければならず、及び刻みつけなければならない。
【００８６】
このことに留意し、図１２及び図１３に示すように、筋肉トレーニング機１０８は本発明の第３実施例である。筋肉トレーニング機１０８は、平らなモータ取り付けパッド１１２が先端に形成されており且つグリップ１１４が基端と隣接して外側に取り付けられた中空シャフト１１０を含む。グリップ１１４は、例えばクラブ３２等の従来のゴルフクラブのグリップを形成する上で代表的に使用されている例えば皮等の軟質の非金属材料から形成されている。
【００８７】
シャフト１１０には、グリップ１１４を含む直線状第１区分１１６及び直線状第２区分１１８が形成されている。直線状第２区分１１８は、直線状第１区分１１６と直線状第２区分１１８との間の接合部からほぼ９０°の角度で延びる。シャフト１１０には、直線状第２区分１１８からこの区分との接合部１２４のところでほぼ９０°の角度で延びる直線状第３区分１２２が形成されている。直線状第１区分１１６は、本明細書中、グリップ区分とも呼ばれ、直線状第２区分１１８は、本明細書中、中間区分とも呼ばれ、直線状第３区分１２２は、本明細書中、モータ取り付け区分とも呼ばれる。
【００８８】
図１３及び図１４に示すように、シャフト１１０の第１及び第２の直線状区分１１６及び１１８の夫々は、本明細書中下文に「共通平面」と呼ぶ一つの平面内に配置されているのに対し、直線状第３区分１２２は共通平面から垂直に延びる。
【００８９】
図１２及び図１３に示すように、筋肉トレーニング機１０８は、電動モータ１２６を更に含む。この電動モータは、そのモータハウジング１３０の一端から延びる回転自在の駆動シャフト１２８を有する。モータハウジング１３０の一端はパッド１１２の第１側１３２に当てて配置され、パッドにねじ１３４で取り付けられる。駆動シャフト１２８は、パッド１１２を通して形成された開口部１３６を通って、及びパッドの第２側１３８から延びている。
【００９０】
ファンブレードアッセンブリ１４０は、ハブ１４４にしっかりと取り付けられた一対のブレード１４２を含む。ハブ１４４は、モータ１２６の回転自在の駆動シャフト１２８の自由端に取り付けられており、駆動シャフトにこのシャフトとともに回転するように取り付けられている。この構成では、モータ１２６及びファンブレードアッセンブリ１４０の組み合わせが力発生器を形成する。
【００９１】
図４に示す種類の保護ケージをパッド１１２にしっかりと取り付けてもよい。これは、ブレード１４２がケージの外の誰か、又は何らかの物体と接触して傷つけたり損傷したりすることがないようにするためである。筋肉トレーニング機１０８は、筋肉トレーニング機４４と同様に、好ましくは、配線アッセンブリ７７、バッテリーパック９０、押しボタンスイッチ９８、及び速度制御装置及び転極器を含む制御モジュールを更に有する。
【００９２】
図１２及び図１３に示す、モータが取り付けられた筋肉トレーニング機１０８の構成では、モータ１２６及びブレード１４２の共通の軸線が、第１及び第２の区分１１６及び１１８の夫々が配置された共通平面から９０°の角度で延びている。これは、好ましくは、筋肉トレーニング機４４のモータ６０及びブレード７２の共通軸線がそのシャフト５４に関して取り付けられたのと同じ角度関係である。この角度関係で、筋肉トレーニング機１０８は、筋肉トレーニング機４４及び１０４が提供する線型引っ張り力に匹敵する線型引っ張り力を矢印（図６及び図１４参照）の方向に提供する。従って、筋肉トレーニング機１０８のこの線型引っ張り力により、ゴルファー３０は、平面前側筋肉及び平面後側筋肉を筋肉トレーニング機４４及び１０４に関して上文中に説明したのと同じ方法で訓練するために筋肉トレーニング機１０８を使用できる。
【００９３】
更に、筋肉トレーニング機１０８のシャフト１１０の直線状第２区分１１８は、直線状第１区分１１６又はグリップ部分から９０°オフセットしているため、ブレード１４２をモータ１２６で回転したとき、大きな回転力が発生する。回転ブレード１４２が発生する回転力を、図１４に回転矢印１４６で示す。
【００９４】
図１４、図１５、及び図１６を参照すると、筋肉トレーニング機１０８を使用するとき、ゴルファー３０はグリップ１１４を従来のゴルフグリップ方法で握り、押しボタンスイッチ９８を押し、ノンストップバックスウィングを行うか或いは、段階的動作を行い、筋肉トレーニング機４４の使用に関して上文中に説明したのと同じ方法で訓練サイクルを行う。訓練サイクル中、平面前側筋肉及び平面後側筋肉を上文中に説明したのと同じ方法で訓練する。更に、直線状第１区分１１６の軸線からオフセットした回転ブレード１４２の効果によって発生した回転力によって回転筋肉にストレスを加え、回転力に応じた、これに対抗するゴルフの努力によって訓練を行う。
【００９５】
バックスウィング中に時計廻り方向回転筋肉群を過度に作用する右利きのゴルファーについて、クラブフェースは、バックスウィング完了位置でクローズド位置にある。この状況で２平面合一を行うため、被支配的反時計廻り方向回転筋肉群を支配的時計廻り方向回転筋肉群よりも強く訓練しなければならない。これには、プロペラが器具に時計廻り方向回転力を発生することを必要とする。同様に、時計廻り方向回転筋肉群が過度に作用する場合、プロペラは器具に反時計廻り方向回転力を発生するように設定される。
【００９６】
筋肉１０８を長期間に亘って専念して訓練使用することにより、ゴルファー３０は、手、手首、及び腕の作用が自動操縦であると考えることができる程度の適正なクラブシャフト平面及び回転筋肉記憶を得る。これにより、ゴルファー３０は、スウィング速度、スウィング弧、ゴルファーが右利きである場合にゴルファーの体重がゴルファーの右足の外側にシフトしないようにすること又はゴルファーが左利きである場合にゴルファーの体重がゴルファーの左足の外側にシフトしないようにすること、及び上半身の比較的大きな筋肉でダウンスイングを行うこと等の他の重要事項に容易に集中できる。
【００９７】
図１３に示すように、モータ１２６及びブレード１４２は、全体が、グリップ１１４が周囲に配置された直線状第１区分１１６及び直線状第２区分１１８が配置された共通平面の一方の側に配置されている。この構成では、モータ１２６及びブレード１４２の軸線は共通平面から垂直方向に延びている。
【００９８】
モータ及びブレード全体が共通平面の一方の側に延びているのでないが、モータ及びブレードの軸線が共通平面に対して垂直であり続ける場合には、この他の構成を使用してもよい。例えば、図１３を参照すると、パッド１１２を図示の接合部１２４の代わりに直線状区分１１８の先端に形成し、シャフト１１０の先端を形成してもよい。この構成では、パッド１１２は共通平面内にある。モータ１２６はパッド１１２の一方の側に、即ち共通平面の一方の側に取り付けられ、ブレード１４２はパッドの他方の側に、即ち共通平面の他方の側に取り付けられ、モータ及びブレードの軸線は共通平面に対して垂直である。パッド１１２、モータ１２６、及びブレード１４２のこのアッセンブリは、この場合、図４に示すシャフト５４の先端のパッド５６、モータ６０、及びブレード７２の夫々のアッセンブリと似ている。
【００９９】
力発生器が共通平面に対して垂直な他の実施例を図１１、図１９、及び図２０に示す。図１１に示すように、模型飛行機で代表的に使用されている種類のジェットエンジン１４８をパッド１１２に取り付ける。この場合、パッドは、上文中に説明したように変更したように、筋肉トレーニング機１０８の直線状区分１１８に配置される。この構成では、ジェットエンジン１４８が力発生器を形成する。
【０１００】
図１９に示すように、筋肉トレーニング機１０８は、直線状区分１２２（図１３参照）の代わりにシャフト１１０の短い直線状区分１２２を使用するように変更してある。シャフトもまた共通平面内に配置されており、これによってモータ１２６が共通平面を跨ぎ、モータ及びブレード１４２の共通軸線が共通平面に対して垂直である。
【０１０１】
図２０を参照すると、筋肉トレーニング機１０８は、モータ１２６及びファンブレードアッセンブリ１４０の代わりに一体のアッセンブリ１５０を使用するように変更してある。一体のアッセンブリ１５０は、両端に軸線方向開口部を持つ包囲側壁を持つシュラウドを含む。モータ１５４は一部がシュラウド１５２内に取り付けられており、軸線方向開口部のうちの第１開口部から延びている。ファンブレードアッセンブリ１５６は、モータ１５４のシャフトに取り付けられており、その軸線方向開口部のうちの第２開口部と隣接してシュラウド１５２内に収容されている。モータ１５４及びファンブレードアッセンブリ１５６の組み合わせが力発生器を形成する。
【０１０２】
一体のアッセンブリ１５０を含むアッセンブリの準備で、筋肉トレーニング機１０８は、直線状区分１１８の先端がここでのパッド無しシャフト１１０の先端である程度まで変更してある。図２０に示すように、変更した直線状シャフト１１８の先端はシュラウド１５２の外面に直接連結されている。直線状区分１１８が共通平面内にあるため、一体のアッセンブリ１５０が共通平面を跨ぎ、モータ１５４及びファンブレードアッセンブリ１５６が共通平面に対して垂直である。
【０１０３】
筋肉トレーニング機１０８の場合には、シャフト１１０の直線状区分１１６は直線状区分１１８に関して９０°で取り付けられているが、ゴルファー３０は、これらの区分１１６及び１１８の間の角度を９０°以上又はそれ以下にすることにより訓練を更に快適に且つ容易に行うことができるということがわかった。このことに留意し、図１３に示す筋肉トレーニング機１０８を、シャフト１１０の接合部１２０のところに図１７に示す第１調節機構１５８を配置することによって変更する。
【０１０４】
詳細には、直線状区分１１６は接合部のところで直線状区分１１８から分けられており、隣接した直線状区分自由端を形成する。調節機構１５８は、直線状区分１１６の自由端に取り付けられた、第１連結部材１６０を含み、この連結部材には平らな部分が形成されており、この平らな部分に貫通穴１６２が形成されている。調節機構１５８は、直線状区分１１８の自由端に取り付けられた第２連結部材１６４を更に含む。この連結部材には平らな部分が形成されており、この平らな部分に貫通穴１６６が形成されている。これらの平らな部分は、穴１６２及び１６６が整合した状態で重ねられ組み立てられた状態に配置される。ボルト１７０のねじ山を備えた部分１６８を整合した穴１６２及び１６６に通して配置し、この際、頭部１７２によりボルトがこれらの穴を通って移動しないようにする。ねじ山を備えたファスナ１７４をボルト１７０のねじ山を備えた部分１６８に配置し、締め付け、連結部材１６０及び１６４を組み立て状態に保持し、シャフト１１０の直線状区分１１６及び１１８を互いに連結し保持する。
【０１０５】
ファスナ１７４を緩め、直線状区分１１６及び１１８をゴルファー３０が選択した垂直位置まで又は非垂直位置まで互いに対して操作し、次いで再度締め付け、直線状区分を選択された角度関係に固定する。直線状区分１１６及び１１８が共通平面に配置されているため、調節機構１５８によって変更された筋肉トレーニング機１０８を使用することによって、ゴルファー３０は、モータ１２６及びファンブレードアッセンブリ１４０の共通軸線を共通平面に対して垂直に維持しながら、モータ１２６及びファンブレードアッセンブリ１４０を、調節区分１１６の先端に関する多くの異なる角度位置、垂直位置及び非垂直位置に選択的に且つ調節自在に位置決めできる。
【０１０６】
図１２及び図１３に示す筋肉トレーニング機１０８は、更に、シャフト１１０の直線状区分１１８の中間部分の代わりに図１８に示す第２調節機構１７６を使用することによって、上文中に説明した調節自在性を得るように変更してもよい。この構成により、直線状区分１１８の基端部分は接合部１２０と隣接したままであり、直線状区分１１８の先端部分は接合部１２４と隣接したままである。
【０１０７】
調節機構１７６は二つの半シェル１７８及び１８０を含み、これらのシェルは、互いに組み立てたとき、全体に両開放端を持つ「ピーナッツ」形状をとる。これらの半シェル１７８及び１８０の各々は凹状の内部を有し、これらの凹状の内部は、シェルを互いに組み立てたときに他方のシェルの凹状の内部と向き合う。二つの球形エレメント１８２及び１８４が、組み立てた半シェル１７８及び１８０の内部内の両端に空間的に配置され、開放端の夫々一方から部分的に延びている。
【０１０８】
調節ノブ１８６が半シェル１７８の外側に沿って配置されており、半シェル１８０から組み立てた半シェルを通って延びるねじ山を備えた部材と協働する。ノブ１８６を選択的に操作することにより、半シェル１７８及び１８０を分解することなく僅かに分離し、その結果、球形エレメント１８２及び１８４を組み立てた半シェル内に保持したまま調節自在に操作できる。この場合、ノブ１８６を調節して半シェル１７８及び１８０を締め付け位置まで移動できる。これによって、球形エレメント１８２及び１８４はそれらの操作された位置で半シェル間にクランプされる。
【０１０９】
第２調節機構は、１９９８年１２月８日にジェフリーＤ．カルネヴァリに付与された「スプリットアームアッセンブリ」という表題の米国特許第５，８４５，８８５号に示されており、記載されており、言及されている。本明細書中に第２調節機構１７６として記載した種類のスプリットアームアッセンブリは、ワシントン州シアトルのナショナルプロダクツ社から商業的に入手可能である。
【０１１０】
図１８を再度参照すると、接合部１２０に接合された直線状区分１１８の残りの基端部分は、球形エレメント１８２に取り付けられている。更に、接合部１２４に接合された直線状区分１１８の残りの先端部分は、球形エレメント１８４に取り付けられている。
【０１１１】
ゴルファー３０がシャフト１１０の直線状区分１１６と直線状区分１１８との間の角度関係を調節しようとする場合には、ノブ１８６を操作して二つの半シェル１７８及び１８０の保持を緩める。その後、球形エレメント１８２を操作し、所望の角度調節を行い、ノブ１８６を再度操作し、半シェル１７８及び１８０を互いにきつく引きつけ、選択された角度調節を保持する。
【０１１２】
調節プロセス中、球形エレメント１８４の操作は行われない。これによって、モータ１２６及びファンブレードアッセンブリ１４０の共通軸線は共通平面に関して垂直な関係を保持する。この垂直関係は、球形エレメント１８４によって占有された半シェル１７８及び１８０間の空間内に直線状区分１１８の先端部分を固定することによって永久的に維持される。
【０１１３】
所望であれば、シャフト１１０の直線状区分１１８の先端部分を調節することができるということに着目されたい。このような調節により、モータ１２６及びファンブレードアッセンブリ１４０の共通軸線をシフトし、共通平面と非垂直方向に整合する。更に、モータ１２６及びファンブレードアッセンブリ１４０の共通軸線を調節して共通平面と非垂直方向整合するため、例えば図１７の調節機構１５８等の調節機構をシャフト１１０の接合部１２４の代わりに配置してもよい。
【０１１４】
モータ１２６及びファンブレードアッセンブリ１４０の共通軸線を共通平面に関して垂直でない角度に配置した場合、この垂直でない角度の一つのベクトル成分が共通平面に対して垂直である。このベクトル成分を、以下、「垂直方向ベクトル成分」と呼ぶ。垂直方向ベクトル成分により、力発生成分は、図１２及び図１３に示す調節不能の筋肉トレーニング機１０８に関して上文中に説明した力発生方向に匹敵する方法で差し向けられる。かくして、ゴルファー３０は、調節不能の筋肉トレーニング機１０８に関して上文中に説明した方法に匹敵する訓練方法を維持できる。
【０１１５】
更に、モータ１２６及びファンブレードアッセンブリ１４０の共通軸線が共通平面に関して垂直でない場合、力発生の他のベクトル成分が存在する。これらのベクトル成分を、以下、「非垂直方向ベクトル成分」と呼ぶ。非垂直方向ベクトル成分により、力を発生する成分が生じ、これらの成分により、ゴルファー３０は、平面前側筋肉、平面後側筋肉、及び回転筋肉を訓練することによって得られた効果を横方向に延ばすことができ、これによってこれらの筋肉への記憶刻み付けを更に高める。
【０１１６】
図２１に示すように、本発明の変形例は、筋肉トレーニング機４４、１０４、及び１０８及び上文中に説明した様々な変形例と同様の方法で筋肉訓練用具を提供するように変更した、ドライバー１８８等の従来のゴルフクラブを含む。詳細には、ドライバー１８８は、中空シャフト１９０、その先端のクラブヘッド１９１、及びその基端のグリップ１９２を含む。これらは全て従来の態様である。一対の支持リング１９４がシャフト１９０の選択された間隔が隔てられた部分に固定されている。各リングは、シャフトから遠ざかる方向に延びるねじ山を備えたスタッド１９６を含む。シャフト１９０の基端には、主配線アッセンブリ１９８の先端部分を中空シャフトの軸線方向開口部に挿入するのを容易にする開口部（図示せず）が形成されている。主配線アッセンブリは、上文中に説明したバッテリーパック等の電源に接続できる。押しボタンスイッチ１９９がグリップ１９２に取り付けられており、押しボタンスイッチ９８に関して上文中に説明した方法で主配線アッセンブリ１９８に接続されている。
【０１１７】
好ましくは、一対の小さな開口部がシャフト１９０の中間部分を通して形成されている。各開口部は、対をなしたリング１９４の夫々と隣接して配置されている。一対の短い配線アッセンブリ２００の各々は、その内端がシャフトの内側で主配線アッセンブリ１９８に接続されており、小さな開口部の夫々を通って外に延びている。短い配線アッセンブリ２００の外端は、一対のコネクタ２０２の夫々に接続されている。
【０１１８】
図２１に示すように、モータ及びファンブレードアッセンブリ２０４は、変更したドライバー１８８に組み立てられる。モータ及びファンブレードアッセンブリ２０４は、図１９に示すモータ１２６及びファンブレードアッセンブリ１４０のアッセンブリと同じであり、シャフト区分１１８を含む。このシャフト区分の先端部分は、図１９に実線で示してあり、基端部分は破線で示してある。
【０１１９】
図１９に破線で示すように、モータ及びファンブレードアッセンブリ２０４は、シャフト区分１１８の基端に取り付けられたバンド２０８が形成する連結部材２０６を含む。アーム２１０がバンド２０８から一体に延びており、接続パッド２１２がアームと一体成形されている。接続パッド２１２には貫通穴２１４が形成されており、この穴は、ドライバー１８８のシャフト１９０に間隔を隔てて取り付けられた対をなしたリング１９４から延びる図２１に示すねじ山を備えたスタッド１９６のいずれかのところに選択的に位置決めできる。図２１に示すように、短い配線アッセンブリ２１６の一端がモータ１２６に接続されており、その他端がコネクタ２１８に接続されている。このコネクタは、対をなしたコネクタ２０２の対のいずれかに接続できる。
【０１２０】
ゴルファー３０が、変更したドライバー１８８を筋肉トレーニングモードで使用しようとする場合には、ゴルファーは接続パッド２１２の穴を、ドライバーのシャフト１９０に取り付けられた夫々のリング１９４の選択されたねじ山を備えたスタッド１９６上に置く。次いで、ねじ山を備えたファスナをスタッド１９６に置いて接続パッド２１２に対して締め付け、モータ及びファンブレードアッセンブリ２０４を、変更したドライバー１８８に固定する。主配線アッセンブリ１９８は、バンドパックに接続される。
【０１２１】
ゴルファー３０は、次いで、変更したドライバー１８８を、平面前側筋肉及び平面後側筋肉、及び回転筋肉を本明細書中上文中に説明した本発明の原理に従って訓練するための筋肉トレーニング機１０８の使用に関して上文中に説明した方法で使用する。
【０１２２】
様々な筋肉トレーニング機４４、１０４、及び１０８の夫々で使用するため、様々な力発生器（即ち、モータ６０、１２６、及び１５４、及び夫々のブレードアッセンブリ、及びジェットエンジン１４８）を上文中に説明したけれども、上文中に説明した任意の発生器を、本発明の精神及び範囲から逸脱することなく、様々な筋肉トレーニング機のうちの任意のトレーニング機で使用できるということは理解されるべきである。
【０１２３】
簡単に述べると、ゴルファーが上文中に説明した筋肉トレーニング機４４、１０４、１０７、又は１８８を長期間に亘って専ら訓練で使用することにより、ゴルファーは、平面前側筋肉と平面後側筋肉との間でバランスのとれた筋肉の強さ及び記憶を得、これにより、適正なクラブシャフト平面が得られる。筋肉トレーニング機１０８を長期間に亘って専ら訓練に使用することにより、ゴルファーは、更に、高められた回転筋肉記憶を得る。こうした属性を得ることにより、ゴルフの試合中のゴルファーのゴルフスウィングにおける手、手首、及び腕の作用が自動操縦で行われるものと考えることができる。これにより、ゴルファーは、スウィング速度、スウィング弧、ゴルファーが右利きの場合にゴルファーの体重が右足の外側に移動しないようにすること、ゴルファーが左利きの場合にゴルファーの体重が左足の外側に移動しないようにすること、及び上半身の比較的大きな筋肉でダウンスイングを行うこと等の他の重要事項に容易に集中できる。
【０１２４】
ゴルフの試合、及び詳細にはゴルフの試合を行う上でのゴルフクラブのバックスウィングは、上文中において、本明細書中に記載した本発明の原理を説明する上での最重要事項として使用され、上文中に説明した筋肉トレーニング機及び訓練方法の様々な実施例及び態様を使用することによって実施されてきた。しかしながら、上文中に説明した筋肉トレーニング機及び訓練方法は、この他のスポーツの試合及び運動と関連した筋肉記憶を高めるのにも使用できる。例えば、野球、ソフトボール、テニス、ラケットボール、重量挙げ、及びハンマー投げ等の試合は、特定のスポーツ活動におけるバランス及び方向を得る競合する筋肉間の作用を必要とする。確かに、上文中に説明した筋肉トレーニング機及び訓練方法は、スポーツの試合と無関係の生活上の様々な場面で使用できる。例えば掛矢を振って差し向け、目的の物体に当てるには別々の筋肉群を必要とする。
【０１２５】
本発明の好ましい実施例の以上の説明は、例示及び説明の目的で提供されたものである。これらは、網羅的であったり本発明を開示の正確な形態に限定しようとするものではない。以上の教示により、明らかな変形及び変更を行うことができる。これらの実施例は、本発明の原理及び実際上の適用を最もよく例示しようとする努力で選択され且つ説明したものであり、これによって当業者は本発明を様々な実施例で及び考えられる実際上の使用に適した様々な態様で使用できる。このような変形及び変更は全て、これらが適正に合法に且つ公正に権利が与えられる範囲に従って解釈される場合、特許請求の範囲によって決定された本発明の範囲内にある。
【図面の簡単な説明】
【０１２６】
【図１】バックスウィングでゴルフクラブをバックスウィング完了位置（）まで、及びバックスウィング中のゴルフクラブのシャフトの理想的移動平面を表すクラブシャフト平面と呼ばれる全体に「Ｃ」形状の経路を通って移動したゴルファーを示す斜視図である。
【図２】クラブが望ましからぬことに図１の理想的クラブシャフト平面の後側にある、ほぼバックスウィング完了位置に近付いた図１のゴルファーを示す斜視図である。
【図３】クラブが望ましからぬことに図１の理想的クラブシャフト平面の前側にある、ほぼバックスウィング完了位置に近付いた図１のゴルファーを示す斜視図である。
【図４】本発明の好ましい実施例による筋肉トレーニング機の第１実施例を示す、斜視図である。
【図５】本発明の好ましい実施例による図４の筋肉トレーニング機のモータ−ファンブレードアッセンブリを示す、部分側面図である。
【図６】本発明の好ましい実施例による筋肉トレーニング訓練の準備で図４の筋肉トレーニング機を６時位置で握っている図１のゴルファーを示す、前方からの斜視図である。
【図７】本発明の好ましい実施例による筋肉トレーニング訓練のプロセスで図４の筋肉トレーニング機を図６の６時位置に対して９時の位置で握っている図１のゴルファーを示す、前方からの斜視図である。
【図８】本発明の好ましい実施例による筋肉トレーニング訓練のプロセスで図４の筋肉トレーニング機を図７の９時位置で握っている図１のゴルファーの右側を示す、側方からの斜視図である。
【図９】本発明の好ましい実施例による筋肉トレーニング訓練のプロセスで図４の筋肉トレーニング機を握っている図１のバックスウィング完了位置の図１のゴルファーの右側を示す、側方からの斜視図である。
【図１０】本発明の変形例による筋肉トレーニング機を示す斜視図である。
【図１１】本発明の好ましい実施例による、図５のモータの代わりに使用できるモータを示す部分斜視図である。
【図１２】本発明の変形例による筋肉トレーニング機を示す前方からの斜視図である。
【図１３】図１２の筋肉トレーニング機を示す下側からの斜視図である。
【図１４】図１２の筋肉トレーニング機の実施例を筋肉トレーニング訓練の準備で６時位置で握っているゴルファーを示す前方からの斜視図である。
【図１５】筋肉トレーニング訓練のプロセスで図１２の筋肉トレーニング機を握っている図１４の６時位置に対して９時位置の図１のゴルファーを示す前方からの斜視図である。
【図１６】筋肉トレーニング訓練のプロセスで図１２の筋肉トレーニング機を握っている図１のバックスウィング完了位置の図１のゴルファーの右側を示す側方からの斜視図である。
【図１７】本発明の好ましい実施例のシャフトに関する引っ張り力手段の相対位置を調節するための第１の用具を示す、部分図である。
【図１８】本発明の好ましい実施例のシャフトに関する引っ張り力手段の相対位置を調節するための第２の用具を示す、部分斜視図である。
【図１９】本発明の好ましい実施例による図１３の筋肉トレーニング機の第１の変形例を示す部分側面図である。
【図２０】本発明の好ましい実施例による図１３の筋肉トレーニング機の第２の変形例を示す部分側面図である。
【図２１】本発明の別の実施例に従って、筋肉トレーニング機として使用されるように変更を加えたドライバーと呼ばれる従来のゴルフクラブの側面図である。
【符号の説明】
【０１２７】
３０  ゴルファー
３２  クラブ
４４  筋肉トレーニング機
５４  中空シャフト
５６  モータ取り付けパッド
５８  グリップ
６０  電動モータ
６２  駆動シャフト
６４  モータハウジング
６６  第１側
６７  ねじ
６８  第２側
６９  開口部
７０  ファンブレードアッセンブリ
７２  ブレード
７４  ハブ
７６  保護ケージ
７７  配線アッセンブリ
７８、８０  導電性ワイヤ
８２  プラグ
８４  軸線方向開口部
８６  軸線方向通路
８８  開口部
９０  電気バッテリーパック
９２、９４  電気ワイヤ
９６  ソケット
【図１】
2007508051.tif 000003
【図２】
2007508051.tif 000004
【図３】
2007508051.tif 000005
【図４】
2007508051.tif 000006
【図５】
2007508051.tif 000007
【図６】
2007508051.tif 000008
【図７】
2007508051.tif 000009
【図８】
2007508051.tif 000010
【図９】
2007508051.tif 000011
【図１０】
2007508051.tif 000012
【図１１】
2007508051.tif 000013
【図１２】
2007508051.tif 000014
【図１３】
2007508051.tif 000015
【図１４】
2007508051.tif 000016
【図１５】
2007508051.tif 000017
【図１６】
2007508051.tif 000018
【図１７】
2007508051.tif 000019
【図１８】
2007508051.tif 000020
【図１９】
2007508051.tif 000021
【図２０】
2007508051.tif 000022
【図２１】
2007508051.tif 000023
【国際調査報告】
2007508051.tif 000024